(57)【要約】【課題】従来、ケーブルを個々に情報分電盤に設けられた機器取り付け板に固定していたため、大変手間がかかっていたところを、本発明は、簡単な構造で、情報分電盤への入出線作業が容易になる情報分電盤の入出線構造を提供することを目的としている。【解決手段】機器取り付け板５の端辺に複数の溝を設けると共に、情報分電盤内に入出線されるケーブル６を溝に嵌合させ、溝の前面側にはケーブル６を固定するための固定部材１０を取り付け可能としたことを特徴とする。【選択図】図２
2009022083.tif 000002
【特許請求の範囲】
【請求項１】
基台に設けられた機器取り付け板に情報通信機器を載置し、配線、収納する情報分電盤の入出線構造であって、前記機器取り付け板の端辺に複数の溝を設けると共に、前記情報分電盤内に入出線されるケーブルを前記溝に嵌合させ、該溝の前面側には前記ケーブルを固定するための固定部材を取り付け可能としたことを特徴とする情報分電盤の入出線構造。
【請求項２】
前記情報分電盤の入出線構造であって、前記機器取り付け板に設けられた溝の、前記ケーブルを載置する面をテーパー状に形成したことを特徴とする請求項１に記載の情報分電盤の入出線構造。
【発明の詳細な説明】
【技術分野】
【０００１】
本発明は、基台に設けられた機器取り付け板に情報通信機器を載置し、配線、収納する情報分電盤の入出線構造に関するものである。
【背景技術】
【０００２】
図５に示すように、情報分電盤３１の基台３２には入出線孔が設けられており、住宅の壁面や天井から引き出されたケーブル３３は入出線孔より情報分電盤３１内に引き込まれる。このとき、従来は、入出線孔に通したケーブル３３は、情報分電盤３１の内部に配置されている情報機器３４へ直接接続されていた。
【０００３】
しかしながら、情報分電盤を設置するその都度、ケーブル３３を適当に接続するため、ケーブル３３が整理しにくく、保守作業のときに、どのケーブル３３がどの機器３４に接続されているかすぐにわからなかったりしていた。そこで、情報分電盤３１への入出線時には、基台３２に設けられた入出線孔から引き入れたケーブル３３は、その都度、均等に割り付け位置決めし、ケーブル支持部材３５により機器取り付け板に固定する方法がとられていた。
【特許文献１】特開平１１−１８２８８８号公報
【発明の開示】
【発明が解決しようとする課題】
【０００４】
上記ケーブルを個々に情報分電盤に設けられた機器取り付け板に固定する方法では、情報分電盤内を整理するためにケーブルを確実に固定するために、固定位置を位置決めするのに大変な時間と手間がかかっていた。ケーブル一本一本に同じ作業を繰り返さなくてはならず、大きい情報分電盤であればあるほど、作業が面倒であった。
【課題を解決するための手段】
【０００５】
そこで本発明は、簡単な構造で、情報分電盤への入出線作業が容易になる情報分電盤の入出線構造を提供することを目的とし、その構造は、機器取り付け板の端辺に複数の溝を設けると共に、情報分電盤内に入出線されるケーブルを溝に嵌合させ、溝の前面側にはケーブルを固定するための固定部材を取り付け可能としたことを特徴とする。
【０００６】
また、機器取り付け板に設けられた溝の、ケーブルを載置する面をテーパー状に形成したことを特徴とする。
【発明の効果】
【０００７】
本発明に係る情報分電盤の入出線固定構造は、機器取り付け板の端辺に複数の溝を設けると共に、情報分電盤内に入出線されるケーブルを溝に嵌合させ、溝の前面側にはケーブルを固定するための固定部材を取り付け可能としたため、ケーブルを溝に嵌合させるという簡単な作業で、入出線の整理が容易に行え、作業時間の短縮も図ることができる。ケーブルをひとつひとつ固定する必要がなくなり、作業時間の大幅削減が図れる。また、ケーブルを固定するための固定部材は簡単な構造で製作でき、従来のひとつひとつのケーブルに対応させた固定部材に比べて安価に提供できる。
【０００８】
また、機器取り付け板に設けられた溝の、ケーブルを載置する面をテーパー状に形成したため、ケーブルを溝に嵌合させるという簡単な作業で、入出線の整理が容易に行え、作業時間の短縮も図ることができる。ケーブルをひとつひとつ固定する必要がなくなり、作業時間の大幅削減が図れる。また、ケーブルを固定するための固定部材は簡単な構造で製作でき、従来のひとつひとつのケーブルに対応させた固定部材に比べて安価に提供できる。ケーブルを溝に沿わせる際、溝がテーパー状に形成されているため、作業がしやすくなる。
【発明を実施するための最良の形態】
【０００９】
本発明に係る情報分電盤の入出線固定構造の実施例を図１〜図４の添付図面に基いて説明する。
【００１０】
近年の情報化に伴い、情報通信機器が家庭内でも使用されるようになってきた。情報通信機器１は、情報分電盤２に収納し住宅の壁面に設置される。情報分電盤２は基台３とカバー４とから成るキャビネットに、機器取り付け板５を取り付け、機器取り付け板５上に情報通信機器１は載置される。住宅の壁面や天井から通信ケーブル６が出線され、情報分電盤２の基台３に設けられた入出線孔（図示せず）より情報分電盤２内に引き込む。
【００１１】
機器取り付け板１には、基台３に設けられた入出線孔側の端部に複数の溝７を設ける。溝７は情報分電盤２に入出線されるケーブル６に対向させた寸法とし、溝７にケーブル６を嵌合させ位置決めする。
【００１２】
溝７の配列部８の両端には螺子挿通孔９を穿設し、溝７の配列部８表面には板状の固定部材１０を渡し、固定部材１０の両端に設けた挿通穴１１と螺子挿通孔９とを対向させ、螺子１２を挿通穴１１と螺子挿通孔９とにそれぞれ挿通し固定部材１０を機器取り付け板５に固定し、ケーブル６が溝７から抜け出ないように固定する。
【００１３】
情報分電盤２に引き込まれた通信ケーブル６を溝７に嵌め込んで位置決めを行い、複数の通信ケーブル６を一つの固定部材１０により一度に固定する。従来手間がかかっていた入出線の整理の手間や、保守作業時のケーブル５の区別が容易になり、作業性が向上するものである。
【００１４】
機器取り付け板５に設ける溝７をテーパー状に形成することもできる。溝７に通信ケーブル６を嵌合させる作業がしやすくなり、作業性を向上させることができる。
【００１５】
情報分電盤の入出線固定構造は上記構造に限定されるものではなく、図４に示すように、入出線固定部材１３を機器取り付け板１４とは別部材で構成することもできる。入出線固定部材１３には複数の溝１５を設け、溝１５は、情報分電盤に引き込まれるケーブル１６が嵌合可能である。溝１５の配列部表面には固定部材１７を渡し、固定部材１７の両端に設けた挿通穴と、溝１５の配列部の両端に設けられた螺子挿通孔とにそれぞれ螺子１８を挿通し、固定部材１７を入出線固定部材１３に固定し、ケーブル１６が溝１５から抜け出ないように固定する。
【図面の簡単な説明】
【００１６】
【図１】情報分電盤の外形を示す説明図である。
【図２】情報分電盤の入出線固定構造を示す正面図である。
【図３】図１における入出線固定部の拡大図である。
【図４】情報分電盤の入出線固定構造の変形実施例を示す説明図である。
【図５】従来の情報分電盤の入出線固定構造を示す正面図である。
【符号の説明】
【００１７】
１    情報通信機器
２    情報分電盤
３    基台
４    カバー
５    機器取り付け板
６    通信ケーブル
７    溝
８    配列部
９    螺子挿通孔
１０  固定部材
１１  挿通穴
１２  螺子
１３  入出線固定部材
１４  機器取り付け板
１５  溝
１６  ケーブル
１７  固定部材
１８  螺子
【図１】
2009022083.tif 000003
【図２】
2009022083.tif 000004
【図３】
2009022083.tif 000005
【図４】
2009022083.tif 000006
【図５】
2009022083.tif 000007